(57)【要約】【課題】  超音波距離計を利用した身長の測定方法およびその装置において、超音波距離計を被健診者直上に設置することなく、小型・計量化を実現することにある。【解決手段】  超音波距離計を鉛直上向きに組み込んだ身長計（本体部）を準備し、「超音波距離計から天井面で折り返した身長計（本体部）までの距離」と、「超音波距離計から天井面で折り返した被健診者頭頂部までの距離」との差分を調べることで、被健診者の身長を測定する。【選択図】  図１
2013198625.tif 000002
【特許請求の範囲】
【請求項１】
超音波による距離計測を利用した身長計測方法、もしくはその装置において、
鉛直上向きに設置された超音波距離計を有し、
超音波距離計から鉛直上向き送出された超音波が天井で反射して鉛直下向きに向かい、
その超音波がさらに被健診者の頭頂部で反射して鉛直上向きに向かい、
これがさらに天井で反射して鉛直下向きに向かい、
これが反射波として受信されることで計測される、超音波距離計から天井で折り返して被健診者の頭頂部までの距離と、
被健診者が居ないときに、
超音波距離計から鉛直上向き送出された超音波が天井で反射して鉛直下向きに向かい、
その超音波がさらに身長計本体表面で反射して鉛直上向きに向かい、
これがさらに天井で反射して鉛直下向きに向かい、
これが反射波として受信されることで計測される、超音波距離計から天井で折り返して身長計本体表面までの距離との差分を求めることで、
被健診者の身長を計測することを特徴とする身長計測方法、ならびにその装置。
【請求項２】
被健診者の直上で超音波の反射させるため、反射板、あるいはコーナ・リフレクタを設け、
請求項１の天井を反射板、あるいはコーナ・リフレクタと読み替えた、請求項１の身長計測方法、ならびにその装置。
【請求項３】
超音波距離計で計測された距離が、請求項１の天井、あるいは請求項２の反射板、あるいは請求項２のコーナ・リフレクタまでの距離よりも短いとき、被健診者が身長測定可能な姿勢にないことを検知することを特徴とする、請求項１あるいは請求項２の身長計測方法、ならびにその装置。
【発明の詳細な説明】
【技術分野】
【０００１】
本発明は、超音波を用いた距離計測方法を利用した身長の測定方法と、その装置に関する。
【背景技術】
【０００２】
超音波距離計を利用した身長の測定方法は、従来、超音波距離計を被健診者の立ち位置の直上に設置し、予め分かっている超音波距離計から被健診者が立つ面までの距離から、超音波距離計から被健診者の頭頂部までの距離を差し引くことで、その値を身長とするのが普通である。
【０００３】
この場合、超音波距離計を被健診者の立ち位置の直上に固定するための手段が必要であり、そのためのヤグラなどが必要となる。このヤグラなどは、被健診者の身長を越える高さであることが要求され、装置自体が大型化することなどの欠点がある。
【０００４】
またこのため、装置の分解、収納、組立てなどが大がかりとなり、被健診者のもとに移動して身長計測を行うには不便である。
【先行技術文献】
【特許文献】
【０００５】
【特許文献１】特開 平７−６７８５７号公報
【特許文献２】特開 平１０−２１１１８９号公報
【特許文献３】特開 平１１−４７１１６号公報
【発明の概要】
【発明が解決しようとする課題】
【０００６】
超音波距離計を利用した身長の測定方法は、従来、超音波距離計を被健診者直上に下向きで配置し、超音波距離計から床面までの距離から、超音波距離計から床面に立つ被健診者の頭頂部までの距離を差し引くことなどで、求まる値を身長とするのが普通である。
この場合、超音波距離計を被健診者直上に固定するためのヤグラなどが必要であり、装置自体が大型化することなどの欠点がある。またこのため、装置の分解、収納、組立てなどが大がかりとなり、被健診者のもとに移動して身長計測を行うには不便である。
【０００７】
本発明が解決しようとする課題は、超音波距離計を被健診者直上に配置せず、ヤグラなどの構造物を無くすことで小型化を実現する、超音波距離計を利用した身長の測定方法を提供することにある。
【課題を解決するための手段】
【０００８】
本発明は、まず、超音波距離計を鉛直上向きに組み込んだ身長計（本体）を準備し、これを床面に設置する。そして、超音波を充分に反射する天井がある部屋で使用する場合は、健診に先立ち、被健診者が身長計に乗っていない状態で超音波距離計を作動させ、「超音波距離計から天井面で折り返した身長計（本体）までの距離」を測定する。次に、被健診者が身長計の所定の位置に直立した後、再度、超音波距離計を作動させ、「超音波距離計から天井面で折り返した被健診者頭頂部までの距離」を測定する。最後に、「超音波距離計から天井面で折り返した身長計（本体）までの距離」から「超音波距離計から天井面で折り返した被健診者頭頂部までの距離」を差し引くことで求まる値を被健診者の身長とする。
なお、天井のない空間や、超音波の反射が充分でない空間では、身長計の直上に別途、超音波を充分に反射する反射板やコーナ・リフレクタを設置することで、上述の測定を実施することができる。
また、「超音波距離計から天井面で折り返した被健診者頭頂部までの距離」の測定値が、天井面までの距離よりも短い場合、言い換えれば、「超音波距離計から天井面で折り返した身長計（本体）までの距離」の半分に満たない場合、超音波距離計が発する超音波の伝搬経路を被健診者が塞いでいること、すなわち、被健診者が正しい位置に直立していないことが検出できる。
【発明の効果】
【０００９】
本発明によれば、床面に平らに設置される、超音波距離計を組み込んだ身長計（本体）のみ、あるいは別途、反射板などがあれば良く、小型化を実現した、超音波距離計を利用した身長の測定方法の提供を可能にする。
【図面の簡単な説明】
【００１０】
【図１】基本的実施例を示す説明図。
【図２】基本的実施例の動作内容を示す説明図。
【図３】反射板を使用する場合の実施例を示す説明図。
【図４】コーナ・リフレクタを使用する場合の実施例を示す説明図。
【図５】コーナ・リフレクタを使用する場合の実施例の動作内容を示す説明図。
【発明を実施するための形態】
【００１１】
図を用いて、実施例を説明する。
【実施例１】
【００１２】
図１は本発明の基本的実施例を、図２はその動作内容を示している。
本発明は、基本的に、超音波距離計を鉛直上向きに組み込んだ「身長計（本体）」を床面に設置して実施する。
超音波を充分に反射する天井がある部屋で本発明を実施する場合は、健診に先立ち、まず、被健診者が「身長計（本体）」に乗っていない状態で「身長計（本体）」に含まれる「超音波距離計」を作動させ、「超音波距離計から天井面で折り返した身長計（本体）までの距離」を測定する。この時の装置の動きは、図２の「送信パルス」と「受信パルス（１）」に表されている。ここで、「送信パルス」は、「超音波距離計」が発する間欠的な超音波を示しており、「受信パルス（１）」の「第１リターン・パルス」は天井からの反射波を、同じく「第２リターン・パルス」は「身長計（本体）」からの反射波を示している。この段階で求める距離は、「送信パルス」を発してから「第２リターン・パルス」を受けるまでの時間を音速で割った値を、さらに半分にすることで算出する。
次に、被健診者が身長計の所定の位置に直立した後、再度、「身長計（本体）」に含まれる「超音波距離計」を作動させ、「超音波距離計から天井面で折り返した被健診者頭頂部までの距離」を測定する。この時の装置の動きは、図２の「送信パルス」と「受信パルス（２）」に表されている。ここで、「送信パルス」は「超音波距離計」が発する間欠的な超音波を示しており、「受信パルス（２）」の「第１リターン・パルス」は天井からの反射波を、同じく「被健診者頭頂部からのリターン・パルス」は被健診者頭頂部からの反射波を示している。この段階で求める距離は、「送信パルス」を発してから「被健診者頭頂部からのリターン・パルス」を受けるまでの時間を音速で割った値を、さらに半分にすることで算出する。
最後に、「超音波距離計から天井面で折り返した身長計（本体）までの距離」から「超音波距離計から天井面で折り返した被健診者頭頂部までの距離」を差し引くことで求まる値を被健診者の身長とする。
なお、「超音波距離計から天井面で折り返した被健診者頭頂部までの距離」の測定値が、天井面までの距離よりも短い場合、言い換えれば、「超音波距離計から天井面で折り返した身長計（本体）までの距離」の半分に満たない場合、超音波距離計が発する超音波の伝搬経路を被健診者が塞いでいること、すなわち、被健診者が正しい位置に直立していないことが検出できる。なお、この場合の装置の動きは、図２の「送信パルス」と「受信パルス（３）」に表されている。ここで、「送信パルス」は前述と同様であり、「受信パルス（３）」の「被健診者からの不正なリターン・パルス」は被健診者が超音波の伝搬経路を塞いだことによる反射波を示している。
【実施例２】
【００１３】
図３は本発明の反射板を使用する場合の実施例を示している。
本実施例は、天井のない空間や、超音波の反射が充分でない空間で、先に示した「実施例１」を上手く機能させるための実施例である。
「身長計（本体）」とは別に、天井に反射板を貼り付けるなどして、超音波を反射する「反射板」を設置する。後は、先に示した「実施例１」において、天井を「反射板」に読み替えれば良い。
【実施例３】
【００１４】
図４は本発明のコーナ・リフレクタを使用する場合の実施例を、図５はその動作内容を示している。
コーナ・リフレクタを使用する場合、コーナ・リフレクタからの反射波は、理想的な状態では「超音波の送受部」には戻らない。従って、図５では、図２に示される「第１リターン・パルス」が存在しない。後の動作内容は、先に示した「実施例２」と同様に考えることができるので、「実施例１」において、天井を「コーナ・リフレクタ」に読み替えれば良い。
【産業上の利用可能性】
【００１５】
本発明は、小型化を実現した、超音波距離計を利用した身長の測定方法、およびその装置の製造方法として産業に寄与する。
【図１】
2013198625.tif 000003
【図２】
2013198625.tif 000004
【図３】
2013198625.tif 000005
【図４】
2013198625.tif 000006
【図５】
2013198625.tif 000007